(57)【要約】【課題】吐出面の平行度の調整を可能にする。【解決手段】インクジェットプリンタは、記録ヘッド１と、支持フレーム２と、支持フレーム２に記録ヘッド１を固定する固定機構３とを含んでいる。固定機構３は、回動部材３１と、回動部材３１に設けられており、回動部材３１が固定位置にあるときに記録ヘッド１の支持点よりも内側にある領域を押圧し、支持フレーム２との間において記録ヘッド１を挟んで固定する２つの押圧部３３，３４と、記録ヘッド１の２つの押圧部３３，３４によって押圧される押圧点よりも内側にある領域に固定され、当該固定領域１０ａ，９９ａに対応する吐出面９ａと固定位置に配置された回動部材３１との離隔距離を変更することが可能な変更機構４０とを含んでいる。【選択図】図２
2011207128.tif 000002
【特許請求の範囲】
【請求項１】
液体を吐出する複数の吐出口が一方向に沿って配列された前記一方向に長尺な吐出面を有する記録ヘッドと、
前記一方向に関して前記吐出面の両端外側の部位において、前記吐出面と対向する方向から前記記録ヘッドを支持する複数の支持部を有する支持部材と、
前記支持部材に前記記録ヘッドを固定する固定機構とを備えた記録装置であって、
前記固定機構が、
前記記録ヘッドを固定する固定位置と前記記録ヘッドの固定を解除する解除位置とを取り得るように前記一方向に直交する前記吐出面に平行な軸線に対して回動可能な回動部材と、
前記回動部材に設けられており、前記回動部材が前記固定位置にあるときに前記記録ヘッドの前記複数の支持部によって支持される支持点よりも内側にある領域を押圧し、前記複数の支持部との間において前記記録ヘッドを挟んで固定する複数の押圧部と、
前記記録ヘッドの前記複数の押圧部によって押圧される押圧点よりも内側にある領域に固定され、当該固定領域に対応する前記吐出面と前記固定位置に配置された前記回動部材との離隔距離を変更することが可能な変更機構とを含んでいることを特徴とする記録装置。
【請求項２】
前記固定領域が、前記吐出面の前記一方向に関する中央と重なる位置にあることを特徴とする請求項１に記載の記録装置。
【請求項３】
前記変更機構が、前記記録ヘッドに固定された第１固定部材と、前記支持部材に固定された第２固定部材と、前記第１及び第２固定部材を連結すると共に自身が回転することで両固定部材の離隔距離を変更するネジとを有していることを特徴とする請求項１又は２に記載の記録装置。
【請求項４】
前記ネジが前記一方向に沿って複数設けられており、
前記第１固定部材が、前記ネジが螺入された複数のネジ穴を有する板状部材と、前記板状部材の前記ネジ穴間から突出し前記記録ヘッドに固定された突出部とを有していることを特徴とする請求項３に記載の記録装置。
【請求項５】
前記記録ヘッドが、前記吐出面を有し複数の金属プレートが積層することで前記吐出口に連通する流路が内部に形成された金属ユニットを含んでおり、
前記突出部が、前記金属ユニットの前記吐出面とは反対の表面に固定されていることを特徴とする請求項４に記載の記録装置。
【発明の詳細な説明】
【技術分野】
【０００１】
本発明は、液体を吐出する記録ヘッドを含む記録装置に関する。
【背景技術】
【０００２】
一般に、吐出口が主走査方向に沿って配列された主走査方向に長尺な吐出面を有しており、プリンタ本体に固定された支持部材に取り付けられたインクジェットヘッドを有するライン式のインクジェットプリンタが知られている。かかるインクジェットヘッドの支持部材への固定方法として、例えば特許文献１には、インクジェットヘッドの長手方向に関する両端部に形成されたボルト孔と支持部材に形成されたボルト孔とナットとにボルトを螺合させて固定する方法が開示されている。
【先行技術文献】
【特許文献】
【０００３】
【特許文献１】特開２００７−１１２０６７号公報
【発明の概要】
【発明が解決しようとする課題】
【０００４】
しかしながら、上述のように、長尺な記録ヘッドの両端をボルトで固定する際には、ボルトの締め付け力により、記録ヘッドに対して大きなトルクが働く。このトルクの働きによって、記録ヘッドの支持部材に対する位置がずれるという問題が生じる。この問題を解決するために、例えば、記録ヘッドの両端をボルトで固定せずに、記録ヘッドを支持部材との間において挟んで固定する押圧部材を設ける方法が考えられる。このとき、記録ヘッドの支持部材による支持点間を押圧するように押圧部材を設けると、記録ヘッドの長手方向に関する記録ヘッド周りを小型化することが可能となる。しかし、押圧部材が記録ヘッドの支持点間を押圧していることで、吐出面が凸に撓むことがあり、吐出面の平行度が乱れ、記録媒体に形成された画像の品質が低下する。
【０００５】
そこで、本発明の目的は、吐出面の平行度を調整することが可能な記録装置を提供することである。
【課題を解決するための手段】
【０００６】
本発明の記録装置は、液体を吐出する複数の吐出口が一方向に沿って配列された前記一方向に長尺な吐出面を有する記録ヘッドと、前記一方向に関して前記吐出面の両端外側の部位において、前記吐出面と対向する方向から前記記録ヘッドを支持する複数の支持部を有する支持部材と、前記支持部材に前記記録ヘッドを固定する固定機構とを備えた記録装置であって、前記固定機構が、前記記録ヘッドを固定する固定位置と前記記録ヘッドの固定を解除する解除位置とを取り得るように前記一方向に直交する前記吐出面に平行な軸線に対して回動可能な回動部材と、前記回動部材に設けられており、前記回動部材が前記固定位置にあるときに前記記録ヘッドの前記複数の支持部によって支持される支持点よりも内側にある領域を押圧し、前記複数の支持部との間において前記記録ヘッドを挟んで固定する複数の押圧部と、前記記録ヘッドの前記複数の押圧部によって押圧される押圧点よりも内側にある領域に固定され、当該固定領域に対応する前記吐出面と前記固定位置に配置された前記回動部材との離隔距離を変更することが可能な変更機構とを含んでいる。
【発明の効果】
【０００７】
本発明の記録装置によると、変更機構が設けられていることで、回動部材を固定位置に配置し、複数の支持部及び押圧部で記録ヘッドを挟んで固定することで吐出面が凸に撓んでも、記録ヘッドの固定領域に対応する吐出面と回動部材との離隔距離を変更することが可能となり、吐出面の平行度を調整することが可能となる。
【図面の簡単な説明】
【０００８】
【図１】本発明の一実施形態によるインクジェットプリンタの内部構造を示す概略側面図である。
【図２】図１に示す記録ヘッドが支持フレームに支持され固定機構により固定された状態を示す図であり、（ａ）は上面図であり、（ｂ）は図２（ａ）に示すII−II線に関する断面図である。
【図３】図１に示すインクジェットヘッドの幅方向に沿った断面図である。
【図４】図３に示すIV−IV線に関する断面図である。
【図５】図４に示す一点鎖線で囲まれた領域の拡大図である。
【図６】（ａ）は図３に示すアクチュエータユニットの部分断面図である。（ｂ）はアクチュエータユニットの部分平面図である。
【図７】図２（ｂ）に示すVII−VII線に関する断面図である。
【図８】図２に示す支持フレームにヘッドを組み付ける際の手順を示す図である。
【発明を実施するための形態】
【０００９】
以下、本発明の好適な実施の形態について、図面を参照しつつ説明する。
【００１０】
図１に示すように、本実施形態のインクジェットプリンタ３０１は、ライン式のプリンタであり、直方体形状の筐体３０１ａを有している。筐体３０１ａ内には、４つのインクジェットヘッド１（以下、「記録ヘッド１」とする）、用紙Ｐを搬送方向（図１中左方から右方に向かう方向）に搬送する搬送機構３１６、用紙Ｐを給紙する給紙ユニット３０１ｂ、用紙Ｐをガイドするガイドユニット及びインクを貯留するタンクユニット３０１ｃが配設されている。これら機構部と干渉しない位置には、各機構部の動作を司る制御部３００が配置されている。また、筐体３０１ａの天板上部には、用紙Ｐが排出される排紙部３１５が設けられている。
【００１１】
制御部３００は、外部供給された画像データに基づいて、用紙Ｐへの一連の画像形成動作を制御する。画像形成に際して、制御部３００は、画像形成に係わる準備動作、用紙Ｐの供給・搬送・排紙動作、搬送に同期したインク吐出動作、吐出特性の回復・維持動作等を行う。
【００１２】
４つの記録ヘッド１は、いずれも主走査方向に長尺なラインヘッドであって、略直方体形状を有している。各記録ヘッド１は、支持フレーム(支持部材)２によって筐体３０１ａに支持され、副走査方向に所定ピッチで並ぶ。記録ヘッド１は、フィルタユニット７、リザーバユニット８、流路ユニット９および４つのアクチュエータユニット１２１を含む。画像形成に際して、４つの記録ヘッド１の下面(吐出面９ａ)からは、マゼンタ、シアン、イエロー、ブラックのインクが吐出される。記録ヘッド１について、より具体的な構成は後述する。
【００１３】
支持フレーム２は、図２に示すように、フレーム本体と固定機構３を含む。フレーム本体は記録ヘッド１を下から支持し、固定機構３は記録ヘッド１を上からフレーム本体に固定する。フレーム本体は、立設された２枚のサイドプレート２１と、両サイドプレート２１間に渡された底プレート２３とからなる。底プレート２３は、サイドプレート２１の下方において主走査方向両側に配置され、記録ヘッド１を挟む。各底プレート２３には、図２（ｂ）に示すように、支持部２３ａが形成されている。支持部２３ａは、記録ヘッド１の主走査方向端部を吐出面９ａに対向する方向から支持する。２つの底プレート（支持部２３ａ）間の開口２３ｂからは、記録ヘッド１が、吐出面９ａを下向きに露出する。
【００１４】
固定機構３は、回動部材３１を含む。回動部材３１は、サイドプレート２１の長手方向一端部上方で回動可能に支持され、支持部２３ａと共に記録ヘッド１を上下に挟持する。固定機構３は２つの位置（後述：固定位置および解除位置）の間を変位可能で、記録ヘッド１は支持フレーム２に着脱可能に支持されている。
【００１５】
搬送ユニット３１６は、図１に示すように、ベルトローラ３０６、３０７および両ローラ３０６、３０７間に巻回された無端状の搬送ベルト３０８に加え、搬送ベルト３０８の外側に配置されたニップローラ３０４および剥離プレート３０５、搬送ベルト３０８の内側に配置された直方体形状のプラテン３１８等を有している。また、搬送ベルト３０８は、テンションローラ３１０によってテンションが付与されている。
【００１６】
ベルトローラ３０７は、駆動ローラであって、搬送モータ（図示せず）によって、図１中時計回りに回転する。このとき、搬送ベルト３０８は、太矢印に沿って走行する。ベルトローラ３０６は、従動ローラであって、搬送ベルト３０８の走行に伴い、図１中時計回りに回転する。ニップローラ３０４は、ベルトローラ３０６に対向配置され、前段のガイド部から供給された用紙Ｐを搬送ベルト３０８の外周面３０８ａに押さえつける。外周面３０８ａは、シリコン処理により、弱粘着性を有している。剥離プレート３０５は、ベルトローラ３０７に対向配置され、用紙Ｐを外周面３０８ａから剥離して後段のガイド部に導く。プラテン３１８は、４つのヘッド１に対向配置され、搬送ベルト３０８の上側ループを内側から支える。これにより、外周面３０８ａと記録ヘッド１の吐出面９ａとの問には、画像形成に適した所定の間隙が形成される。
【００１７】
ガイドユニットは、搬送ユニット３１６を挟んで上流側ガイド部（前段のガイド部）と下流側ガイド部（後段のガイド部）とから構成される。上流側ガイド部は、２つのガイド３１３ａ，３１３ｂおよび一対の送りローラ３１４を有する。このガイド部は、給紙ユニット３０１ｂ（後述）と搬送ユニット３１６とを繋ぐ。下流側ガイド部は、２つのガイド３２９ａ，３２９ｂおよび二対の送りローラ３２８を有する。このガイド部は、搬送ユニット３１６と排紙部３１５とを繋ぐ。
【００１８】
給紙ユニット３０１ｂは、筐体３０１ａに対して着脱可能に配置されている。給紙ユニット３０１ｂは、給紙トレイ３１１および給紙ローラ３１２を有する。給紙トレイ３１１は、上方に開口した箱体であって、複数の用紙Ｐを収納する。給紙ローラ３１２は、給紙トレイ３１１内で最も上方の用紙Ｐを送り出し、上流側ガイド部に供給する。
【００１９】
ここで、副走査方向とは、搬送ユニット３１６において用紙Ｐが搬送されるときの搬送方向に平行な方向であって、主走査方向とは、水平面に平行且つ搬送方向に直交する方向である。
【００２０】
タンクユニット３０１ｃは、内部に４つのメインタンク３１７を収納している。メインタンク３１７は、タンクユニット３０１ｃに対して着脱可能に装着されている。各メインタンク３１７には、シアン、マゼンタ、イエロー、及びブラックのインクがそれぞれ貯留されており、対応する記録ヘッド１にインクチューブ（図示せず）を介してインクが供給される。
【００２１】
プリンタ３０１の内部には、図１に示すように、黒矢印に沿う搬送経路が形成されている。全体として、左右が反転したＳ字状の経路である。下方の給紙ユニット３０１ｂから給紙された用紙Ｐは、４つの記録ヘッド１を通過する際に、制御部３００の制御によって順にインクが吐出され、所望のカラー画像が形成される。画像が形成された用紙Ｐは、搬送機構３１６から送り出される。さらに、用紙Ｐは、２組の送りローラ対３２８により上方に搬送され、筐体３０１ａ上部の排出口３２２から排紙部３１５へと排出される。
【００２２】
次に、図２〜図７を参照しつつ記録ヘッド１の構成について説明する。なお、図２（ｂ）においては、記録ヘッド１のフィルタユニット７、リザーバユニット８とヘッド本体７０とを有する流路形成部材１０を破線で示している。また、以下の説明においては、記録ヘッド１の長手方向（主走査方向）を単に「長手方向」と称し、記録ヘッド１の幅方向（副走査方向）を単に「幅方向」と称する。
【００２３】
記録ヘッド１は、図２（ｂ）及び図３に示すように、カバー体、流路形成部材１０および電装部材から構成される。カバー体は、流路形成部材１０の一部と共に電装部材を覆い、外部から保護する。流路形成部材１０は、インク流路が内部に形成された積層体であって、メインタンク３１７からのインクが充填されている。電装部材は、インク流路内のインクの吐出を行う電気部品群であって、その動作は制御部３００によって制御される。
【００２４】
カバー体は、図３に示すように、ヒートシンク９８を含む下筐体５、上筐体６およびヘッドカバー９９から構成される。下筐体５は、平板部を挟んで上下に開口した箱体である。下筐体５は、ＰＢＴ／ＡＢＳ（ポリブチレンテレフタレート／アクリロニトリルブタジエンスチレン）樹脂製である。図中、下側の箱部内（凹部５ａ）には、流路形成部材１０の下側半部が収納されている。上側の箱部内（凹部５ｂ）には、流路形成部材１０の上側半部が収納されている。両半部は、下筐体５の平板部に形成された貫通孔（図示せず）を介して接続されている。上側箱部は、長手方向に延びる側壁に、切欠部５ｃが形成されており、ここに熱伝導性の高いアルミ製ヒートシンク９８が装着されている。上筐体６は、上側箱部およびヒートシンク９８の上端面に固定され、凹部５ｂを上方から封止する。ヘッドカバー９９は、図中、下方に開口する箱体で、上筐体６と共に閉空間を作っている。この閉空間には、電装部材の一部（例えば、制御基板９５）が収納されている。これにより、外部からインクミストの侵入が防げ、電装部材に電気的不具合が生じない。また、ヒートシンク９８は、後述のドライバＩＣ９６と熱的に接続する。
【００２５】
流路形成部材１０は、上側半部のフィルタユニット７および下側半部のリザーバユニット８とヘッド本体７０が積層した積層体である。ヘッド本体７０には、電装部材でもあるアクチュエータユニット１２１が含まれる。
【００２６】
フィルタユニット７は、長手方向に関して、長尺な樹脂成型部材であって、一端部にはインクチューブが接続されている。内部のインク流路には、途中部にフィルタ部（図示せず）が形成されている。メインタンク３１７からチューブを介して供給されたインクは、フィルタ部で濾過され、下流のリザーバユニット８に供給される。
【００２７】
リザーバユニット８は、３つのステンレス製プレート９１〜９３の積層体であって、全体として直方体形状を有している。プレート９３の下面には、複数の凹部９３ａが形成されている。凹部９３ａは、流路ユニット９との間に間隙９０を作っている。リザーバユニット８の側面には、間隙９０の４つの開口９０ａが、長手方向に沿って千鳥に等間隔で形成されている。リザーバユニット８の内部には、インク溜まりのインクリザーバ７２が形成され、フィルタユニット７からのインクが貯留される。凹部９３ａによって画定された凸部には、インクリザーバ７２に連通したインク流出流路７３が形成されており、先端面に開口している。インク流出流路７３は、図３に１つのインク流出流路７３のみが表されているが、本実施形態では１０本ある。なお、凸部の先端面は、流路ユニット９（後述）との接合面である。
【００２８】
ヘッド本体７０は、図３に示すように、流路ユニット９およびアクチュエータユニット１２１を含む。なお、図４および図５では、説明の都合上、アクチュエータユニット１２１の下方にあって破線で描くべき圧力室１１０、アパーチャ１１２および吐出口１０８を実線で描いている。
【００２９】
流路ユニット９は、９つのステンレス製プレート１２２〜１３０の積層体であって、全体として直方体形状を有している。流路ユニット９の下面は、多数の吐出口１０８が開口する吐出面９ａである。流路ユニット９の上面は、多数の圧力室１１０（図４参照）および１０個のインク供給口１０５ａが開口する平面である。上面では、インク供給口１０５ａに対応してプレート９３の凸部が接合され、圧力室群（複数の圧力室１１０の集合）に対応してアクチュエータユニット１２１が接合されている。これにより、インク供給口１０５ａがリザーバユニット７１のインク流出流路７３と連通する。また、アクチュエータユニット１２１は、流路の壁部材でもあって、複数の圧力室１１０の開口を封止する。流路ユニット９の内部には、インク供給口１０５ａ、マニホールド流路１０５、副マニホールド流路１０５ａ、絞り（アパーチャ）１１２、圧力室１１０、を経て吐出口１０８に至るインク流路（図示せず）が形成されている。
【００３０】
アクチュエータユニット１２１は、平面視がほぼ台形状のシート状部材であって、図６（ａ）に示すように、３枚の圧電シート１４１〜１４３の積層体である。圧電シート１４１〜１４３は、チタン酸ジルコン酸鉛（ＰＺＴ）系の強誘電性セラミックス材料からなる。４つのアクチュエータユニット１２１は、プレート９３の凹部９３ａと流路ユニット９の上面が作る間隙９０内に収容されている。
【００３１】
圧電シート１４１の上面には、図６（ｂ）に示すように、圧力室１１０に対向して、複数の個別電極１３５が形成されている。個別電極１３５は、略菱形であって、菱形の一方の鋭角部から引き出された先端部には、個別バンプ１３６が形成されている。個別バンプ１３６は、ＣＯＦ９７の配線パターンと接続し、駆動信号が選択的に供給される。圧電シート１４１と圧電シート１４２との間には、共通電極１３４がシート全面に形成されている。共通電極１３４は、接地電位となっている。
【００３２】
ここで、圧電シート１４１は、厚み方向に分極されている。個別電極１３５を共通電極１３４と異なる電位にすると、分極方向に電界が生じ。圧電シート１４１の電界印加部分（活性部）が圧電効果で歪む。一方、圧電シート１４２、１４３は、個別電極１３５に対応した部分（非活性部）でも、自発的に変位しない。このような組み合わせの部分は、所謂ユニモルフタイプの圧電アクチュエータとして個別に機能し、アクチュエータユニット１２１には、圧力室１１０と同数のアクチュエータが作り込まれている。各圧電アクチュエータは、駆動信号で変形して、圧力室１１０内のインクに選択的に圧力（吐出エネルギー）を与える。
【００３３】
電装部材は、上述のアクチュエータユニット１２１に加え、制御基板９５およびＣＯＦ９７を含む。制御基板９５は、複数の電子部品が実装されており、印字データを出力する。ＣＯＦ９７は、途中部にドライバＩＣ９６が実装された平型柔軟基板であって、一端が制御基板９５のコネクタ９５ａに接続され、他端がアクチュエータユニット１２１の上面に接合されている。ＣＯＦ９７は、間隙９０の開口９０ａ、下筐体５の切り欠き９４および上筐体６のスリット６ａを通って上方に引き出されている。制御基板９５から印字データが出力されると、ドライバＩＣ９６からアクチュエータユニット１２１に駆動信号が出力される。なお、ドライバＩＣ９６は、ヒートシンク９８によって駆動時の熱が放散される。
【００３４】
ここで、アクチュエータユニット１２１の駆動方法について述べる。例えば、分極方向と電界の印加方向とが同じであれば、活性部は分極方向に直交する方向（平面方向）に縮む。このとき、圧電層１４２，１４３は、自発的に変形しないので、活性部と圧電層１４２，１４３との間で平面方向への歪みに差が生じる。この歪みの差によって、圧電シート１４１〜１４３全体が圧力室１１０側へ凸になるように変形（ユニモルフ変形）する。これにより圧力室１１０内のインクに圧力（吐出エネルギー）が付与され、吐出口１０８からインク滴が吐出される。
【００３５】
なお、本実施形態においては、予め個別電極１３５に所定の電位を付与しておき、吐出要求があるごとに一旦個別電極１３５をグランド電位にした後、所定のタイミングで再び個別電極１３５に電位を付与するような駆動信号をドライバＩＣ９６から出力させる。この場合、個別電極１３５がグランド電位となるタイミングで圧電シート１４１〜１４３が元の状態に戻り、圧力室１１０の容積は初期状態（予め電圧が印加された状態）と比較して増加し、副マニホールド流路１０５ａから圧力室１１０へとインクが吸い込まれる。その後、再び個別電極１３５に所定の電位が付与されたタイミングで圧電シート１４１〜１４３において活性領域と対向する部分が圧力室１１０側に凸となるように変形し、圧力室１１０の容積低下によりインクの圧力が上昇し、吐出口１０８からインクが吐出される。
【００３６】
続いて、固定機構３について図２、図３及び図７を参照しつつ以下に説明する。固定機構３の回動部材３１は、図２に示すように、長手方向に延在するアーム部材であってサイドプレート２１間を接続する支持軸２５に回動可能に支持されている。そして、回動部材３１は、支持軸２５を中心に回動して、記録ヘッド１を支持フレーム２に固定する固定位置（図２（ｂ）、図８（ｂ）及び図８（ｃ）に示す位置）と、記録ヘッド１の固定を解除する解除位置（図８（ａ）に示す位置）とを取る。
【００３７】
回動部材３１には、２つの押圧部３３，３４が設けられている。回動部材３１が固定位置にあるとき、２つの押圧部３３，３４は記録ヘッド１の上面（ヘッドカバー９９）に当接する。このとき、押圧部３３は記録ヘッド１の左端部近傍であって吐出面９ａと鉛直方向に重なる位置を押圧し、押圧部３４は記録ヘッド１の右端部近傍であって吐出面９ａと鉛直方向と重なる位置を押圧する。つまり、押圧部３３,３４は記録ヘッド１の２つの支持部２３ａによって支持される支持点よりも内側にある領域を押圧し、２つの支持部２３ａとの間において記録ヘッド１を固定する。
【００３８】
各押圧部３３，３４は、回動部材３１に固定された筒状部材と、筒状部材内に配置され筒状部材の下方の開口から突出した突出部材と、筒状部材内に配置され突出部材を下方に付勢するバネとを有している。この構成により、回動部材３１が固定位置に配置された際には、各押圧部材３３，３４の突出部材がヘッドカバー９９に当接し、バネの弾性力によりヘッドカバー９９を押圧する。
【００３９】
回動部材３１の他端部には、回動部材３１を固定位置に係止するフック３５が設けられている。フック３５は、回動部材３１に取り付けられた幅方向に平行な軸３５ａを中心に回動可能であり、回動部材３１の上方に位置する操作部３５ｂと、回動部材３１の下方に配置され略くの字状に屈曲した係止部３５ｃとを有している。回動部材３１が固定位置に配置された際に、操作部３５ｂを操作してフック３５を回動させると、係止部３５ｃがサイドプレート２１に突設されたピン２９に係止する。
【００４０】
固定機構３は、吐出面９ａと回動部材３１との離隔距離を変更可能な変更機構４０を含んでいる。変更機構４０は、長手方向に関して、押圧部３３，３４の押圧点間において略中央部に配置されている。変更機構４０は、記録ヘッド１側の第１固定部４１、支持フレーム２側の第２固定部４２、両固定部４１，４２を連結する２つのネジ４３を有している。ネジ４３は、自身が回転して、両固定部４１，４２間の距離を変更する。本実施の形態では、第１固定部４１が第２固定部４２に近づくように変更される。
【００４１】
第１固定部材４１は、ヘッドカバー９９の上面中央に固定された板状部材４５と、板状部材４５の下面中央から突出した突出部４６とを有している。板状部材４５には、図７に示すように、２つのネジ穴４５ａが長手方向に沿って形成されている。２つのネジ穴４５ａには、ネジ４３がそれぞれ螺入される。突出部４６は、２つのネジ穴４５ａ間の中央に配置されている。また、突出部４６は、図３に示すように、ヘッドカバー９９、制御基盤９５、上筐体６、フィルタユニット７及び下筐体５の上部を貫通しており、その先端（下端）が金属製の流路形成部材１０（リザーバユニット８）の上面中央（吐出面９ａとは反対の表面）に固定されている。
【００４２】
このため、後述するように板状部材４５が引き上げられたときに、突出部４６に作用する引き上げ力が流路形成部材１０に効果的に作用し、吐出面９ａの平行度の調整が容易となる。つまり、流路形成部材１０の上部中央（固定領域１０ａ）が引き上げられ、吐出面９ａの撓みが水平に近づきやすくなる。また、記録ヘッド１が、本実施形態のように、金属からなる流路形成部材１０を有していても、突出部４６が流路形成部材１０に固定されることで、板状部材４５が引き上げられたときに、突出部４６が流路形成部材１０を効果的に引き上げ、吐出面９ａの平行度を調整することが可能となる。
【００４３】
第２固定部材４２は、２つのサイドプレート２１の中央上端に渡されて固定された桁部材４７と、２つのネジ４３が取り付けられた板状部材４８と、回動部材３１に形成された孔３１ａを通って桁部材４７と板状部材４８とを連結するネジ４９とを有している。板状部材４８は、ネジ４３を回転可能に支持するとともに、ネジ４３が回転してもネジ４３に対して鉛直方向に移動不可能に構成されている。つまり、２つのネジ４３は、板状部材４８によって、鉛直方向に移動不可能に配置されている。
【００４４】
この構成により、ネジ４３を回転させると、ネジ４３が螺入された板状部材４５がネジ４３の回転方向に応じて鉛直方向に移動する。この板状部材４５の移動に応じて、突出部４６も鉛直方向に移動し、板状部材４５及び突出部４６が固定された固定領域１０ａ，９９ａと対応する吐出面９ａと固定位置に配置された回動部材３１との鉛直方向の離隔距離を調整することが可能となる。
【００４５】
続いて、図８を参照しつつ、支持フレーム２に記録ヘッド１を組み付ける際の手順について説明する。まず、図８（ａ）に示すように、記録ヘッド１の長手方向に関して吐出面９ａの両端外側の部分が吐出面９ａと対向する方向から支持部２３ａに支持されるように、記録ヘッド１を支持フレーム２にセットする。このとき、記録ヘッド１には第１固定部材４１、第２固定部材４２の板状部材４８及び２つのネジ４３が取り付けられている。また、このとき、支持フレーム２には、固定機構３の第２固定部材４２の桁部材４７及びネジ４９が取り付けられていない。
【００４６】
次に、図８（ａ）に示すように、解除位置に位置する固定機構３の回動部材３１を図中時計回りに回動させて、図８（ｂ）に示す固定位置とする。そして、フック３５の操作部３５ｂを操作して、係止部３５ｃをピン２９に係止させ、回動部材３１を固定位置に固定する。こうして、２つの押圧部３３，３４と２つの支持部２３ａとによって記録ヘッド１が挟まれて、記録ヘッド１が支持フレーム２に固定される。このとき、固定機構３の２つの押圧部３３，３４により、記録ヘッド１の２つの支持部２３ａによって支持される支持点よりも内側の領域に押圧力が加えられる。このように、記録ヘッド１の支持点よりも内側に押圧力が加えられると、図８（ｂ）に示すように、吐出面９ａの中央が凸となるように撓むことがある。
【００４７】
次に、図８（ｃ）に示すように、第２固定部材４２の桁部材４７を２つのサイドプレート２１の中央上端に渡して、サイドプレート２１に固定する。そして、板状部材４８と桁部材４７とをネジ４９で連結し、鉛直方向に関して、板状部材４８が桁部材４７に対して移動しないようにする。そして、上述のように吐出面９ａが撓んでいるときは、板状部材４５及び突出部４６を上方に引き上げるように、２つのネジ４３を回転させる。すると、下に凸となるように撓んでいた吐出面９ａが水平に戻る。こうして、吐出面９ａの平行度を調整することが可能となる。吐出面９ａの平行度を調整した後は、ネジ４３が振動などによって緩まないように、ネジ４３と少なくともいずれか一方の板状部材４５，４８とを接着剤で固定する。こうして、記録ヘッド１の支持フレーム２への組み付けが完了する。
【００４８】
以上のように、本実施形態のインクジェットプリンタによると、変更機構４０が設けられていることで、回動部材３１を固定位置に配置し、２つの支持部２３ａ及び２つの押圧部３３，３４で記録ヘッド１を挟んで固定することで吐出面９ａが凸に撓んでも、記録ヘッド１の固定領域１０ａ，９９ａに対応する吐出面９ａと回動部材３１との離隔距離を変更することが可能となり、吐出面９ａの平行度を調整することが可能となる。
【００４９】
また、記録ヘッド１に対する第１固定部材４１の固定領域１０ａ，９９ａが、図２（ｂ）に示すように、吐出面９ａの長手方向に関する中央と重なる位置にある。これにより、吐出面９ａを効果的に引き上げることが可能となり、吐出面９ａの平行度が調整しやすくなる。変更機構４０が、第１固定部材４１と、第２固定部材４２と、２つのネジ４３とで構成されており、構成が簡易となる。
【００５０】
以上、本発明の好適な実施の形態について説明したが、本発明は上述の実施の形態に限られるものではなく、特許請求の範囲に記載した限りにおいて様々な変更が可能なものである。例えば、変更機構は、記録ヘッド1において、吐出面９ａの中央以外と重なる領域であって押圧部３３，３４によって押圧される押圧点よりも内側にある領域に固定されていてもよく、回動部材３１と下方に凸に撓んだ吐出面９ａとの離隔距離を変更することができれば、上述の構成に限られない。また、第１固定部材４１が板状部材４５だけから構成されていてもよい。この場合、ネジ４３を回転させて、板状部材４５を上方に引き上げることで、吐出面９ａが水平になるように、吐出面９ａの平行度を調整すればよい。
【００５１】
また、変更機構が、桁部材４７とネジ４９だけでもよい。この場合、ネジ４９を延ばして記録ヘッド１（又は流路形成部材１０）にねじ込み、記録ヘッド１（又は流路形成部材１０）を引き上げて、吐出面９ａの平行度を調整してもよい。支持フレーム２と筐体３０１ａとが一体であってもよい。この場合、桁部材４７を筐体３０１ａに固定してもよい。
【００５２】
また、支持フレーム（支持部材）は３以上の支持部を有していてもよいし、押圧部３３，３４は回動部材３１に３以上設けられていてもよい。また、本発明は、インクジェットヘッド以外の記録ヘッドが採用された記録装置においても適用することが可能である。
【符号の説明】
【００５３】
１  インクジェットヘッド（記録ヘッド）
２  支持フレーム（支持部材）
３  固定機構
９ａ  吐出面
１０  流路形成部材（金属ユニット）
２３ａ  支持部
３１  回動部材
３３，３４  押圧部
４０  変更機構
４１  第１固定部材
４２  第２固定部材
４３  ネジ
４５  板状部材
４５ａ  ネジ穴
４６  突出部
１０８  吐出口
３０１  インクジェットプリンタ（記録装置）
【図１】
2011207128.tif 000003
【図２】
2011207128.tif 000004
【図３】
2011207128.tif 000005
【図４】
2011207128.tif 000006
【図５】
2011207128.tif 000007
【図６】
2011207128.tif 000008
【図７】
2011207128.tif 000009
【図８】
2011207128.tif 000010